(57)【要約】  ポータブルコンピューティング装置用の台座は、キーボード、枠体、シャフト、取付部、およびシャフト係合要素を備える。キーボードは、ポータブルコンピューティング装置と通信するように構成される。枠体はキーボードを取り囲む。シャフトは、枠体に回転可能に取り付けられる。枠体へのシャフトの回転可能な取り付けは、ポータブルコンピューティング装置に作用する重力よりも大きい摩擦を有する。取付部は、ポータブルコンピューティング装置を保持するように構成される。取付部にはシャフトが貫通するシャフト凹部が画定されており、このシャフト凹部内でシャフトは自由に回転し得る。シャフト係合要素は、取付部へのポータブルコンピューティング装置の載置に応答して、取付部をシャフトに回転結合させるように構成される。
2019505876.tif 000002
【特許請求の範囲】
【請求項１】
ポータブルコンピューティング装置用の台座であって、
前記ポータブルコンピューティング装置と通信するように構成されるキーボードと、
前記キーボードを取り囲む枠体と、
前記枠体に回転可能に取り付けられるシャフトであって、前記枠体への前記シャフトの回転可能な取り付けは、前記ポータブルコンピューティング装置に作用する重力よりも大きい摩擦を有するものである、前記シャフトと、
前記ポータブルコンピューティング装置を保持するように構成される取付部であって、その内部に前記シャフトが挿通されて前記シャフトが自由に回転できるシャフト凹部を画定する前記取付部と、
前記取付部への前記ポータブルコンピューティング装置の載置に応答して、前記取付部を前記シャフトに回転結合させるように構成されるシャフト係合要素と
を備える台座。
【請求項２】
前記シャフト係合要素は前記シャフトに回転結合されている、請求項１に記載の台座。
【請求項３】
前記シャフト係合要素は、前記シャフトの周りで回転できないが前記シャフトに沿って長手方向にスライドするように構成されている、請求項１に記載の台座。
【請求項４】
前記シャフト係合要素は、前記取付部への前記ポータブルコンピューティング装置の載置に応答して、前記シャフトに沿ってスライドするとともに前記取付部の取付部係合界面と係合することによって、前記取付部を前記シャフトに回転結合させるように構成される、請求項１に記載の台座。
【請求項５】
前記シャフトの周りで回転して、前記シャフト係合要素から延びるフィンを係合アクチュエータから離すとともに前記取付部係合界面に向けて押すことによって、前記シャフト係合要素を前記シャフトに沿ってスライドさせかつ前記取付部係合界面と係合させるように構成される前記係合アクチュエータを更に備える、請求項４に記載の台座。
【請求項６】
前記取付部係合界面は、取付部歯部を備え、
前記シャフト係合要素は、前記取付部歯部と噛み合うように構成されるシャフト係合歯部を備える、請求項５に記載の台座。
【請求項７】
前記係合アクチュエータは、前記取付部への前記ポータブルコンピューティング装置の載置に応答して、前記係合アクチュエータを前記シャフトの周りで回転させるように構成される磁石を備える、請求項５に記載の台座。
【請求項８】
前記フィンは、湾曲形状を有する、請求項５に記載の台座。
【請求項９】
前記取付部は、前記ポータブルコンピューティング装置が前記取付部へ載置されているときに前記ポータブルコンピューティング装置がレバーを押圧するのに応答して、前記係合アクチュエータを前記シャフトの周りで回転させるように構成される前記レバーを備える、請求項５に記載の台座。
【請求項１０】
前記取付部は、前記ポータブルコンピューティング装置が前記取付部へ載置されているときに前記ポータブルコンピューティング装置がレバーを押圧するのに応答して、前記シャフト係合要素に、前記取付部を前記シャフトに回転結合させるように構成される前記レバーを備える、請求項１に記載の台座。
【請求項１１】
前記台座は、前記ポータブルコンピューティング装置が前記取付部から取り外されるのに応答して、前記シャフト係合要素に、前記取付部を前記シャフトから切り離させるように構成されるばねを備える、請求項１０に記載の台座。
【請求項１２】
前記取付部は、前記ポータブルコンピューティング装置を保持するように構成されるスロットを画定する、請求項１に記載の台座。
【請求項１３】
前記取付部は、取付部係合界面を備え、
前記シャフト係合要素は、前記シャフトに沿ってスライドして前記取付部係合界面と係合することによって、前記取付部を前記シャフトに回転結合するように構成されており、
前記台座は、前記取付部への前記ポータブルコンピューティング装置の載置に応答して前記シャフトの周りを回転することによって、前記シャフト係合要素を前記シャフトに沿ってスライドさせるとともに前記取付部係合界面と係合させるように構成される、係合アクチュエータを更に備える、請求項１に記載の台座。
【請求項１４】
前記係合アクチュエータは、前記取付部への前記ポータブルコンピューティング装置の載置に応答して、前記係合アクチュエータを前記シャフトの周りで回転させるように構成される磁石を備える、請求項１３に記載の台座。
【請求項１５】
前記磁石は、前記係合アクチュエータの残りの部分よりも高密度の材料であって、前記取付部から前記ポータブルコンピューティング装置が取り外されたときに前記係合アクチュエータを反対方向に回転させる重力方向の力を生じる前記磁石の前記高密度の材料を備える、請求項１４に記載の台座。
【請求項１６】
ポータブルコンピューティング装置を取り付けるための台座であって、
前記台座は、
クランプに接続される枠体と、
前記枠体に支持されるキーボードと
を備え、
前記クランプは、前記クランプ内でシャフトが摩擦回転するように前記シャフトと摩擦係合しており、
前記シャフトは、
前記シャフトの第１端部に設けられ、前記クランプと摩擦係合する第１のシリンダ状部分と、
前記第１端部よりも前記シャフトの前記第１端部から遠くにある第２のシリンダ状部分であって、前記第２のシリンダ状部分は、取付部の一部によって取り囲まれており、シャフト係合要素が前記取付部の取付部係合界面と係合していないときに前記取付部が前記シャフトに対して自由回転するのを可能にする、前記第２のシリンダ状部分と、
前記第２のシリンダ状部分よりも前記シャフトの前記第１端部から遠くにある非シリンダ状部分であって、前記非シリンダ状部分は、シャフト係合要素によって取り囲まれており、前記非シリンダ状部分は、前記シャフト係合要素が前記第１端部に対して接離するスライドを可能にするが前記シャフト係合要素が前記非シリンダ状部分の周りで回転できないようにする、前記非シリンダ状部分と、
前記非シリンダ状部分よりも前記第１端部から遠くにある第３のシリンダ状部分であって、前記第３のシリンダ状部分は、係合アクチュエータによって取り囲まれており、前記係合アクチュエータが前記第３のシリンダ状部分の周りで自由回転するのを可能にする、前記第３のシリンダ状部分と
を備え、
前記取付部は、前記ポータブルコンピューティング装置を保持するように構成されており、前記取付部は、前記シャフトの前記第２のシリンダ状部分を取り囲むシリンダ状凹部を画定しており、前記取付部は、前記取付部係合界面を備えており、
前記係合アクチュエータは、前記取付部への前記ポータブルコンピューティング装置の取付に応答して、シャフト係合要素を前記取付部係合界面に向けて付勢するように構成されており、
前記シャフト係合要素は、前記係合アクチュエータが前記シャフト係合要素を前記取付部係合界面に向かって付勢するのに応答して、前記取付部係合界面と係合するとともに前記取付部を前記シャフトに回転結合させるように構成される、台座。
【請求項１７】
前記係合アクチュエータは、前記取付部への前記ポータブルコンピューティング装置の取付に応答して、前記シャフトの前記第３のシリンダ状部分の周りで回転し、この係合アクチュエータの回転が、前記シャフト係合要素を前記取付部係合界面に向けて付勢するように構成されている、請求項１６に記載の台座。
【請求項１８】
前記係合アクチュエータは、前記取付部への前記ポータブルコンピューティング装置の載置に応答して、前記係合アクチュエータを回転させるように構成される磁石を備える、請求項１７に記載の台座。
【請求項１９】
前記磁石は、前記係合アクチュエータの他の部分よりも高密度の材料を備える、請求項１８に記載の台座。
【発明の詳細な説明】
【技術分野】
【０００１】
本明細書の説明は、ポータブルコンピューティング装置が載置される台座に関する。
【背景技術】
【０００２】
ポータブルコンピューティング装置は、タッチスクリーンを有するが別個のキーボードを有さない「タブレット」式に製造されることがある。
【発明の概要】
【発明が解決しようとする課題】
【０００３】
台座が、キーボードと、ポータブルコンピューティング装置を受け取るための取付部とを備えることがある。
【課題を解決するための手段】
【０００４】
ポータブルコンピューティング装置用の台座は、キーボード、枠体、シャフト、取付部、およびシャフト係合要素を備えることができる。キーボードは、ポータブルコンピューティング装置と通信するように構成することができる。枠体はキーボードを取り囲むことができる。シャフトは、枠体に回転可能に取り付けられることができる。枠体に対するシャフトの回転可能な取り付けは、ポータブルコンピューティング装置に作用する重力よりも大きい摩擦を有することができる。取付部は、ポータブルコンピューティング装置を保持するように構成することができる。取付部は、シャフトが貫通するシャフト凹部を画定することができ、このシャフト凹部内でシャフトは自由に回転する。シャフト係合要素は、取付部へのポータブルコンピューティング装置の載置に応答して、取付部をシャフトに回転結合させるように構成されることができる。
【０００５】
ポータブルコンピューティング装置用の台座は、キーボード、枠体、シャフト、取付部、シャフト係合要素、および係合アクチュエータを備えることができる。キーボードは、ポータブルコンピューティング装置と通信するように構成することができる。枠体はキーボードを取り囲むことができる。シャフトは、枠体に回転可能に取り付けられることができ、この回転可能な取り付けは、ポータブルコンピューティング装置に作用する重力より大きい摩擦を有する。取付部は、ポータブルコンピューティング装置を保持するように構成することができる。取付部は、シャフトが貫通するシャフト凹部を画定することができ、このシャフト凹部内でシャフトは自由に回転する。取付部は、取付部係合界面を備えることができる。シャフト係合要素は、シャフトに沿ってスライドしかつ取付部係合界面に係合することによって、取付部をシャフトに回転結合させるように構成されることができる。係合アクチュエータは、取付部へのポータブルコンピューティング装置の載置に応答してシャフトの周りで回転することによって、シャフト係合要素をシャフトに沿ってスライドさせて取付部係合界面と係合させるように構成することができる。
【０００６】
ポータブルコンピューティング装置を取り付けるための台座は、枠体、キーボード、クランプ、シャフト、取付部、係合アクチュエータ、およびシャフト係合要素を備えることができる。枠体はクランプに接続され得る。キーボードは枠体によって支持され得る。クランプはシャフトと摩擦係合し得る。この摩擦係合によりシャフトはクランプ内で摩擦回転することができる。シャフトは、第１のシリンダ状部分、第２のシリンダ状部分、非シリンダ状部分、および第３のシリンダ状部分を備えることができる。第１のシリンダ状部分はシャフトの第１端部にあり、第１のシリンダ状部分はクランプと摩擦係合することができる。第２シリンダ状部分は、第１端部よりもシャフトの第１端部から遠くに設けられてよい。第２のシリンダ状部分は、取付部の一部によって取り囲まれることができ、シャフト係合要素が取付部の取付部係合界面と係合していないときに取付部がシャフトに対して自由回転するのを可能にする。非シリンダ状部分は、第２のシリンダ状部分よりもシャフトの第１の端部部分から遠くに設けられてよい。非シリンダ状部分は、シャフト係合要素によって取り囲まれることができる。非シリンダ状部分は、シャフト係合要素が第１端部に対して接離するスライドを可能にするが非シリンダ状部分の周りでシャフト係合要素が回転できないように構成することができる。第３のシリンダ状部分は、非シリンダ状部分よりも第１端部から遠くに設けることができる。第３のシリンダ状部分は、係合アクチュエータによって取り囲まれることができ、係合アクチュエータが第３のシリンダ状部分の周りで自由回転するのを可能にする。取付部は、ポータブルコンピューティング装置を保持するように構成することができる。取付部は、シャフトの第２のシリンダ状部分を取り囲むシリンダ状凹部を画定することができる。取付部は、取付部係合界面を備えることができる。係合アクチュエータは、取付部へのポータブルコンピューティング装置の取付に応答して、シャフト係合要素を取付部係合界面に向かって付勢するように構成されてもよい。シャフト係合要素は、係合アクチュエータがシャフト係合要素を取付部係合界面に向けて付勢することに応答して、取付部係合界面に係合し、取付部をシャフトに回転結合させるように構成されることができる。
【０００７】
添付の図面および以下の説明には１つまたは複数の実装例の詳細が記載されている。本明細書、図面、および特許請求の範囲から他の特徴が明らかになるであろう。
【図面の簡単な説明】
【０００８】
【図１Ａ】例示的な実施形態の台座の図。
【図１Ｂ】例示的な実施形態の台座の取付部にポータブルコンピューティング装置が置かれてある台座の図。
【図２Ａ】例示的な実施形態の台座の構成要素を示す図。
【図２Ｂ】一実施形態の台座の内部構造を示す図。
【図２Ｃ】例示的な実施形態の台座のいくつかの構成要素の分解図。
【図２Ｄ】例示的な実施形態の台座へのポータブルコンピューティング装置の挿入方向を示す図。
【図２Ｅ】例示的な実施形態の取付部にポータブルコンピューティング装置が置かれたときの、係合アクチュエータの回転方向とシャフト係合要素のスライド方向とを示す図。
【図２Ｆ】例示的な実施形態の取付部包囲体に回転結合されるシャフト係合要素を示す図。
【図２Ｇ】例示的な実施形態の取付部からポータブルコンピューティング装置を取り外したときの、係合アクチュエータの回転方向とシャフト係合要素のスライド方向とを示す図。
【図２Ｈ】一実施形態の取付部からポータブルコンピューティング装置を取り外した後の、元の位置への係合アクチュエータの戻りを示す図。
【図３】例示的な実施形態の取付部へのポータブルコンピューティング装置の載置に応答してレバーがシャフト係合要素を取付部に回転結合させる例示的な台座のいくつかの構成要素を示す図。
【発明を実施するための形態】
【０００９】
ポータブルコンピューティング装置用の台座（ｂａｓｅ）は、キーボードを支持する枠体（ｆｒａｍｅ）と、その枠体に回転可能に取り付けられる取付部とを備えることができる。取付部にポータブルコンピューティング装置が置かれていない場合には、取付部は枠体に対して自由に回転できる。この自由回転によって、ポータブルコンピューティング装置のユーザは、使用中でない台座を容易に設定変更（ｒｅｃｏｎｆｉｇｕｒｅ）できるようになる。取付部にポータブルコンピューティング装置を置いたときに、取付部と枠体との間の回転摩擦が増加するように、取付部の内部で摩擦要素が係合してよい。この回転摩擦は、ポータブルコンピューティング装置が取付部に載置されているときにポータブルコンピューティング装置に作用する重力および／またはトルクよりも大きくてよい。このようにポータブルコンピューティング装置に作用する重力および／またはトルクよりも回転摩擦が大きいことによって、ユーザがその摩擦に打ち勝つのに十分な力をポータブルコンピューティング装置に加えて取付部を回転させるまで、取付部は枠体に対して特定の位置に留まることができ、ポータブルコンピューティング装置を枠体およびキーボードに対してユーザの望む角度に維持できる。
【００１０】
図１Ａは、例示的な実施形態の台座１００の図である。台座１００は、枠体１０２に回転可能に取り付けられる取付部（ｍｏｕｎｔ）１０８を備えることができる。回転可能な取付部は、枠体１０２によって画定されるシリンダ状凹部（ｃｙｌｉｎｄｒｉｃａｌ  ｒｅｃｅｓｓ）と取付部１０８によって画定される回転凹部（ｒｏｔａｔｉｏｎａｌ  ｒｅｃｅｓｓ）とを通って延在するシャフト１０６を備えることができる。例示的な実施形態では、シャフト１０６は、枠体１０２においてシリンダ状凹部を画定する部分としっかりと係合されてよい。この係合は、シャフト１０６の周りでの枠体１０２の回転摩擦を生成する。（図１Ａには図示しない）ポータブルコンピューティング装置が取付部１０８に置かれていないとき、取付部１０８はシャフト１０６に対して自由に回転でき、取付部１０８が枠体１０２に対して自由に回転できるようになっている。ポータブルコンピューティング装置が取付部１０８に置かれると、取付部１０８はシャフト１０６に回転結合して（ｒｏｔａｔｉｏｎａｌｌｙ  ｃｏｕｐｌｅ）、シャフト１０６に対する取付部１０８の回転が防止され、その結果、枠体１０２がシャフト１０６の周りで回転するのと同じ摩擦で取付部１０８は枠体１０２の周りで回転するようになる。
【００１１】
取付部１０８はスロット１１０を画定してよい。このスロット１１０は、シャフト１０６が取付部１０８および／または枠体１０２を貫通する方向とほぼ平行な方向に、例えば５度以内の方向に、取付部１０８を貫通することができる。スロット１１０は、タブレットコンピュータ（図１Ｂに示す）などのポータブルコンピューティング装置を受け取るように構成されてよい。取付部１０８においてスロット１１０を画定する部分は、ユーザがポータブルコンピューティング装置をスロット１１０から取り外すまで、スロット１１０内でポータブルコンピューティング装置を保持するようにポータブルコンピューティング装置と摩擦力をもって係合してよい。取付部１０８は、磁石のような吸引力を持たない材料でおよび／またはプラスチックのような非磁性の材料で形成されてよい。
【００１２】
枠体１０２は、キーボード１０４を取り囲んでよい。キーボード１０４は、英数字キー、記号キー、および／または修飾キーなどの複数のキーを有してよい。キーボード１０４は、ユーザからの入力を受け付け、その入力をポータブルコンピューティング装置に供給してよい。キーボード１０４は、非限定的な例として、ＩＥＥＥ８０２．１５（ブルートゥース（登録商標））、近距離無線通信（ＮＦＣ）、または無線周波数識別（ＲＦＩＤ）といった無線インターフェースによってポータブルコンピューティング装置と通信してよい。他の例示的実装例では、キーボード１０４は、キーボード１０４から枠体１０２および取付部１０８を通ってスロット１１０内へと延在する電線などの有線インターフェースを介してポータブルコンピューティング装置と通信することができ、この有線インターフェースはスロット１１０内でコンピューティング装置と結合されてよい。
【００１３】
図１Ｂは、例示的な実施形態の台座１００の取付部１０８にポータブルコンピューティング装置１２０が載置されている状態の台座１００の図である。この例では、タブレットコンピューティング装置であり得るポータブルコンピューティング装置１２０が台座１００のスロット１１０に差し込まれている。ポータブルコンピューティング装置１２０はディスプレイ１２２を備えることができ、このディスプレイ１２２は、ユーザからの触覚入力を受け付けるとともに処理するタッチスクリーンを備えることができるが、物理的キーのあるハードキーボードを備えなくてよい。ポータブルコンピューティング装置１２０は、キーボードなどの他のコンポーネントが取り付けられる折畳み部分または回転部分を有さない単一の剛体的な一体構造体で構成されてよい。ポータブルコンピューティング装置１２０は、ユーザによってスロット１１０から取り外されるまで、ポータブルコンピューティング装置１２０がスロット１１０内にとどまるように取付部１０８のスロット１１０に摩擦嵌めされてもよい。
【００１４】
取付部１０８のスロット１１０へのポータブルコンピューティング装置１２０の差込みに応答して、取付部１０８は、摩擦機構に係合および／またはシャフト１０６に回転結合し、当該摩擦機構によっておよび／または取付部１０８とシャフト１０６との回転結合によって、枠体１０２に対する取付部１０８のおよび／またはポータブルコンピューティング装置１２０の回転に反対するおよび／または抵抗する摩擦が生じる。この摩擦は、ユーザがこの摩擦に打ち勝つのに十分な力および／または圧力を加えてポータブルコンピューティング装置１２０および／または取付部１０８を枠体１０２に対して回転させるまで、ポータブルコンピューティング装置１２０および／または取付部１０８を枠体１０２に対して特定の位置に留めることができる。
【００１５】
図２Ａは、例示的な実施形態の台座１００の構成要素を示す。この例では、図２Ｂ、図２Ｃ、図２Ｄ、図２Ｅ、図２Ｆ、図２Ｇ、図２Ｈおよび図３に示す例と同様に、見易さの目的で、取付部１０８の一部を切り欠いて示す。
【００１６】
台座１００は、シャフト１０６の一部を取り囲むクランプ２０２を備えることができる。クランプ２０２は、枠体１０２（図２Ａに示さない）と一体であってもよいし、クランプ２０２を貫通する孔２０４を通って延在するボルトなどの締結具を介して枠体１０２に取り付けられてもよい。クランプ２０２は、ユーザが摩擦に打ち勝つのに十分な力を加えるまでクランプ２０２とシャフト１０６との相対回転に抗する摩擦を生成するように、シャフト１０６の前記一部の周りにしっかりと巻き付けられてよい。
【００１７】
台座１００は、クランプ２０２と取付部１０８との間に１つ以上のシャフト要素２０６Ａ、２０６Ｂを備えることができる。図２Ａは、締結具によってシャフト要素２０６Ｂに結合され得るシャフト要素２０６Ａを示しているが、クランプ２０２と取付部１０８との間の１つ以上のシャフト要素は、シャフト１０６と連続的な単一の一体構造体で形成されてもよい。シャフト要素２０６Ａ、２０６Ｂ（図２Ｂに関して後述するシャフト要素２０６Ｃ、２０６Ｄ）は、シャフト１０６の構成要素とみなすこともできる。
【００１８】
台座１００はブッシング２０７を備えることができる。ブッシング２０７は、シャフト要素２０６Ａ、２０６Ｂと取付部１０８との間に配置され得る。シャフト要素２０６Ａ、２０６Ｂと取付部１０８との間にブッシング２０７を配置することにより、シャフト要素２０６Ａ、２０６Ｂと取付部１０８とが相対回転したときにそれらの擦れを抑制でき、シャフト要素２０６Ａ、２０６Ｂや取付部１０８の損傷を抑制できる。
【００１９】
取付部１０８は、取付部包囲体（ｍｏｕｎｔ  ｅｎｃｌｏｓｕｒｅ）２０８を備えることができる。取付部包囲体２０８の一部は、スロット１１０の一部を画定する壁や側面の一部を構成してよい。取付部包囲体２０８は、スロット１１０に隣接してもよい。取付部包囲体２０８はシリンダ状部分を画定してよく、シャフト１０６（および／またはシャフト要素２０６Ｃ）はこのシリンダ状部分を貫通し、シャフト１０６は台座１００の摩擦機構が係合していないときにこのシリンダ状部分の内部で自由に回転してよい。
【００２０】
台座１００は、シャフト係合要素（ｓｈａｆｔ  ｅｎｇａｇｅｍｅｎｔ  ｅｌｅｍｅｎｔ）２１０を備えることができる。シャフト係合要素２１０は、前記シャフト（および／またはシャフト要素２０６Ｄ）に沿ってクランプ２０２および／または取付部包囲体２０８に向かっておよび／または取付部包囲体２０８から離れる方向にスライドできるが、前記シャフトの周りで回転できない。取付部１０８へのスロット１１０へのポータブルコンピューティング装置１２０（図２Ａには図示せず）の差込みに応答して、シャフト係合要素２１０は取付部包囲体２０８に向かってスライドして当該取付部包囲体２０８と嵌合する。シャフト係合要素２１０と取付部包囲体２０８との嵌合によって、シャフト係合要素２１０が取付部包囲体２０８と回転可能に連結し、シャフト係合要素２１０に対する取付部包囲体２０８の回転が抑制されることとなる。シャフト係合要素２１０はシャフト１０６（および／またはシャフト要素２０６Ｄ）の周りで回転できないので、取付部係合要素２０８とシャフト係合要素２１０との嵌合によって、取付部包囲体２０８と、取付部１０８全体は、シャフト１０６に回転結合することとなる。シャフト１０６がクランプ２０２および枠体１０２に摩擦係合しているので、シャフト係合要素２１０への取付部包囲体２０８の嵌合によって、枠体１０２およびキーボードに対する取付部１０８の回転に反対するおよび／または抵抗する摩擦が増加し、この摩擦に打ち勝つのに十分な力をユーザがポータブルコンピューティング装置１２０および／または取付部１０８に加えて、ポータブルコンピューティング装置１２０および／または取付部１０８を枠体１０２およびキーボード１０４に対して回転させるまで、取付部１０８およびポータブルコンピューティング装置１２０は枠体１０２およびキーボード１０４に対して所定の位置にとどまることとなる。
【００２１】
台座１００は、係合アクチュエータ（ｅｎｇａｇｅｍｅｎｔ  ａｃｔｕａｔｏｒ）２１２を備えることができる。係合アクチュエータ２１２は、取付部１０８のスロット１１０へのポータブルコンピューティング装置１２０の差込みに応答して、シャフト係合要素２１０を取付部包囲体２０８に向けて付勢して、シャフト係合要素２１０を取付部包囲体２０８と嵌合させる。例示的な実施形態では、係合アクチュエータ２１２は、シャフト１０６の周りを自由に回転できる。係合アクチュエータ２１２は、取付部１０８のスロット１１０へのポータブルコンピューティング装置１２０の差込みに応答して、シャフト１０６の周りを回転してよい。シャフト１０６の周りの係合アクチュエータ２１２の回転によってシャフト係合要素２１０が取付部包囲体２０８に向けて付勢されてよい。
【００２２】
図２Ａに示す例では、シャフト係合要素２１０はフィン２１５を備えることができる。フィン２１５は、係合アクチュエータ２１２に向かってシャフト係合要素２１０から離れるとともにように延在し、係合アクチュエータ２１２によって画定される係合スロット２１６内へと延在することができる。フィン２１５および係合スロット２１６の各々は、湾曲していてもよいし、湾曲形状部分を含んでもよい。取付部１０８のスロット１１０へのポータブルコンピューティング装置１２０の差込みに応答して、係合アクチュエータ２１２が回転すると、係合アクチュエータ２１２において係合スロット２１６を画定する一部であって、シャフト係合要素２１０から離れた位置にある一部が、フィン２１５に圧力および／または力を付与するようになり、フィン２１５およびシャフト係合要素２１０を係合アクチュエータ２１２から離して取付部包囲体２０８に向けて付勢し、シャフト係合要素２１０を取付部包囲体２０８と嵌合させることとなる。
【００２３】
例示的な実施形態では、係合アクチュエータ２１２は磁石２１８を備えることができる。磁石２１８は、取付部１０８のスロット１１０へのポータブルコンピューティング装置１２０の差込みに応答して、係合アクチュエータ２１２を回転させることができる。スロット１１０へのポータブルコンピューティング装置１２０の差込みに応答して、磁石２１８は、ポータブルコンピューティング装置１２０の金属部分および／または（磁石２１８と反対の極性を有する）磁性部分へと引き寄せられ、係合アクチュエータ２１２を、スロット１１０内のポータブルコンピューティング装置１２０に向かって回転させることとなる。
【００２４】
磁石２１８は、係合アクチュエータ２１２の他の部分よりも高い密度を有してよく、および／または係合アクチュエータ２１２の他の部分よりも密な材料で形成されてもよい。磁石２１８の密度が高いと、ポータブルコンピューティング装置１２０をスロット１１０から取り外すときに、ポータブルコンピューティング装置１２０がスロット１１０に置かれているときに係合アクチュエータ２１２を回転させる方向とは反対方向に、係合アクチュエータ２１２を回転させるような、重力および／または重力方向の力を生じることができる。
【００２５】
図２Ｂは、例示的な実施形態の台座１００の内部構造を示す図である。この例では、取付部包囲体２０８に挿通されるシャフト要素２０６Ｃはシリンダ形状である。取付部１０８の構成要素であるとみなせるシャフト要素２０６Ｃのシリンダ形状によって、台座１００の摩擦要素が係合していないときに、取付部包囲体２０８および／または取付部１０８がシャフト１０６および／またはシャフト要素２０６Ｃの周りを自由に回転できるようになる。
【００２６】
図２Ｂに示す例では、シャフト係合要素２１０を貫通するシャフト要素２０６Ｄは、平坦外側部分といった、非シリンダ形状の少なくとも１つの部分を有する。シャフト要素２０６Ｄは、例えば、角柱形状であってもよい。シャフト要素２０６Ｄの非シリンダ形状は、シャフト係合要素が取付部包囲体２０８に向かって近づくまたは遠ざかるスライド移動を可能にする一方で、シャフト係合要素２１０がシャフト要素２０６Ｄの周りで回転するのを防止し、シャフト係合要素２１０をシャフト１０６に回転結合させることができる。
【００２７】
図２Ｃは、例示的な実施形態の台座１００のいくつかの構成要素の分解図である。図２Ｃに示すように、クランプ２０２は、シャフト１０６の一部を取り囲み、ユーザが摩擦に打ち勝つのに十分な力を加えるまで、クランプ２０２内でのシャフト１０６の回転に抵抗するようにシャフト１０６に摩擦係合する。
【００２８】
シャフト１０６は、シャフト要素２０６Ａ、２０６Ｂ、２０６Ｃ、２０６Ｄ、２０６Ｅを備えることができる。シャフト要素２０６Ａ、２０６Ｂは、孔を貫通してシャフト要素２０６Ａ、２０６Ｂの反対側のねじ付きナットによって固定されるねじ付きボルトのような締結具によって互いに連結されてよい。シャフト要素２０６Ｃが取付部包囲体２０８によって画定されるシャフト凹部２１４の内側にあるときに、取付部包囲体２０８がシャフト要素２０６Ｃの周りを自由に回転できるように、シャフト要素２０６Ｃは、シリンダ形状であってよい。シャフト係合要素２１０がシャフト要素２０６Ｄの周りで回転しないように、シャフト要素２０６Ｄは、非シリンダ形状であるか、および／または１つまたは複数の平坦または非円形部分を有してよい。シャフト係合要素２１０がシャフト要素２０６Ｅの周りを自由に回転できるように、シャフト要素２０６Ｅはシリンダ形状であってよい。例示的な実施形態では、シャフト１０６の端部は、シャフトの第１のシリンダ状部分とみなすことができ、シャフト要素２０６Ｃはシャフトの第２のシリンダ状部分とみなすことができ、シャフト要素２０６Ｄはシャフトの非シリンダ状部分とみなすことができ、シャフト要素２０６Ｅは、シャフトの第３のシリンダ状部分とみなすことができる。ブッシング２０７は、取付部包囲体２０８および／または取付部１０８に対するシャフト要素２０６Ｂの擦れを防止する。
【００２９】
取付部１０８は、取付部包囲体２０８を備えることができる。取付部包囲体２０８はシャフト凹部２１４を画定してよい。シャフト凹部２１４は、シャフト要素２０６Ｃがシャフト凹部２１４内で自由に回転できるようにシリンダ形状であってよい。シャフト凹部２１４はスロット１１０に対しほぼ平行に、例えば５度以内で、延在してよい。
【００３０】
取付部包囲体２０８は、取付部係合界面（ｍｏｕｎｔ  ｅｎｇａｇｅｍｅｎｔ  ｉｎｔｅｒｆａｃｅ）２１７を備えることができる。取付部係合界面２１７は、取付部包囲体２０８においてクランプ２０２とは反対側の端部であってよい。取付部係合界面２１７は、スロット１１０へのポータブルコンピューティング装置１２０（図２Ｃに図示せず）の差し込みに応答して摩擦係合機構が作動したときに、シャフト係合要素２１０のシャフト係合界面（ｓｈａｆｔ  ｅｎｇａｇｅｍｅｎｔ  ｉｎｔｅｒｆａｃｅ）２２０と噛み合って、取付部１０８および／またはシャフト１０６に対してシャフト係合要素２１０が回転するのを防止する。取付部係合界面２１７は、シャフト係合要素２１０のシャフト係合界面２２０と噛み合う、歯部（取付部歯部とみなすことができる）、尾根部、または他の非平滑構造を備えることができる。
【００３１】
シャフト係合要素２１０は、シャフト係合界面２２０を備えることができる。シャフト係合界面２２０は、取付部包囲体２０８の取付部係合界面２１７と噛み合う、歯部（シャフト係合歯部とみなすことができる）、尾根部、または他の非平滑構造を備えることができる。シャフト係合界面２２０は、取付部包囲体の取付部係合界面２１７と噛み合うかおよび／または係合して、摩擦係合構造が作動したときに、シャフト係合要素２１０が取付部包囲体２０８、取付部１０８および／またはシャフト１０６に対して回転するのを防止する。係合アクチュエータ２１２は、スロット１１０へのポータブルコンピューティング装置１２０の差込みに応答して回転することによって、シャフト係合要素２１０を取付部包囲体２０８に向かって移動させて、シャフト係合界面２２０を取付部係合界面２１７と噛み合わせる。
【００３２】
図２Ｄは、例示的な実施形態の台座１００の取付部１０８へのポータブルコンピューティング装置１２０（図２Ｄには図示せず）の挿入方向２２５を示す。ポータブルコンピューティング装置１２０は、スロット１１０の底部２２６に向かう挿入方向２２５においてスロット１１０内へと差し込まれ得る。取付部１０８の底部２２６と、当該底部２２６に沿って広がる平面に対してほぼ直交（例えば８５度〜９５度で）する取付部１０８の側面２２７，２２８とによって、スロット１１０は画定され得る。取付部１０８の底部２２６から側面２２７，２２８の頂部まで測定したときの取付部１０８の高さは、取付部１０８および台座１００の寸法および／または厚さを小さく保つように、６〜７ミリメートルであってよく、および／または５〜８ミリメートルであってよい。
【００３３】
図２Ｅは、例示的な実施形態の取付部１０８にポータブルコンピューティング装置１２０（図２Ｅには図示せず）が載置されたときの、係合アクチュエータ２１２の回転方向２３０Ａおよびシャフト係合要素２１０のスライド方向２４０Ａを示す。ポータブルコンピューティング装置１２０がスロット１１０に差し込まれるかおよび／または磁石２１８の近位に配置されるのに応答して、係合アクチュエータ２１２に含まれる磁石２１８が、ポータブルコンピューティング装置１２０に含まれる金属および／または１つ以上の磁石に引き寄せられて、係合アクチュエータ２１２を回転方向２３０Ａに回転させることとなる。係合アクチュエータ２１２のこの回転は、シャフト係合要素２１０をシャフト要素２０６Ｄに沿って取付部１０８に向けてスライド方向２４０Ａに強制的にスライドさせ、シャフト係合界面２２０（図２Ｅには示されていない）を取付部係合界面２１７（図２Ｅには示されていない）と噛み合わせ、シャフト係合要素２１０を取付部１０８および／またはシャフト１０６に回転結合させることとなる。
【００３４】
図２Ｆは、例示的な実施形態の取付部包囲体２０８に回転結合されるシャフト係合要素２１０を示す。シャフト係合要素２１０は、図２Ｅに関して上述したように、係合アクチュエータ２１２がシャフト係合要素２１０を取付部１０８に向けて付勢した後に、取付部包囲体２０８に回転結合されてよい。
【００３５】
図２Ｇは、ポータブルコンピューティング装置１２０（図２Ｇには図示せず）が取付部１０８から取り外されたときの、係合アクチュエータ２１２の回転方向２３０Ｂおよびシャフト係合要素２１０のスライド方向２４０Ｂを示す。この例では、ポータブルコンピューティング装置１２０に向かう磁石２１８（図２Ｇには図示せず）の磁気吸引力がもはや存在しないとき、磁石２１８を引くように作用する重力によって、係合アクチュエータ２１２は、ポータブルコンピューティング装置１２０が取付部１０８上に置かれたときの回転方向２３０Ａとは反対の回転方向２３０Ｂに回転され得る。係合アクチュエータ２１２が回転方向２３０Ｂへ回転すると、係合アクチュエータ２１２は、シャフト係合要素２１０をシャフト要素２０６Ｄに沿ってスライド方向２４０Ｂとは反対のスライド方向２４０Ｂに引っ張り、取付部筐体２０８から遠ざかり、シャフト係合要素２１０と取付部包囲体２０８との係合が解除され、取付部１０８はシャフト１０６に対して自由に回転できるようになる。
【００３６】
図２Ｈは、ポータブルコンピューティング装置１２０（図２Ｈには図示せず）が例示的な実施形態の取付部１０８から取り外された後に、元の位置に戻った係合アクチュエータ２１２を示す。係合アクチュエータ２１２が当該係合アクチュエータ２１２の元の位置（図２Ａ、図２Ｂ，図２Ｃ）に戻るように回転してシャフト係合要素２１０が取付部１０８から外れた後、取付部１０８はシャフト１０６の周りを自由に回転できる。取付部１０８がシャフト１０６の周りで自由に回転できると、取付部１０８は重力によって下方向２５０に引き下げられる。
【００３７】
図３は、例示的な台座１００のいくつかの構成要素を示しており、取付部１０８へのポータブルコンピューティング装置１２０（図３には示されていない）の載置に応答して、レバー３０２によりシャフト係合要素２１０が取付部１０８に回転結合する。例示的な実施形態に関連する。この例示的な台座１００は、上述した台座１００の特徴のうちの任意の組み合わせを有してよい。
【００３８】
図３に示す例では、ポータブルコンピューティング装置１２０は、レバー３０２に圧力を付与できる。レバー３０２は、取付部１０８に回転可能に取り付けられてよく、レバー３０２の一部は、スロット１１０が空である場合やポータブルコンピューティング装置がスロット１１０の内側にない場合に、スロット１１０内に延在し得る。レバー３０２は、係合アクチュエータ２１２を回転させることによって圧力に応答し、上述のようにシャフト係合要素２１０を取付部包囲体２０８と係合および／または回転係合させるようになる。
【００３９】
係合アクチュエータ２１２は、ばね３０４を備えることができる。ばね３０４は、ポータブルコンピューティング装置１２０が取付部１０８から取り外されるとともにレバー３０２からを押圧力が解放された後に、係合アクチュエータ２１２を当該係合アクチュエータ２１２の元の位置に戻す。係合アクチュエータ２１２が元の位置に戻ることによって、シャフト係合要素２１０が取付部包囲体２０８から引き離され、取付部１０８がシャフト係合要素２１０およびシャフト１０６から離れ、取付部１０８が図２Ｇに関連して上述したように、シャフト１０６に連結されることとなる。
【００４０】
上記した実施形態の特定の特徴を本明細書に記載したように例示したが、様々な修正や置換や変更や等価物が当業者であれば想定できる。したがって、添付した特許請求の範囲は、本発明の複数の実施形態の技術的思想の範囲に含まれるそうしたすべての修正および変更を包含するものとして意図されていると理解されたい。
【図１Ａ】
2019505876.tif 000003
【図１Ｂ】
2019505876.tif 000004
【図２Ａ】
2019505876.tif 000005
【図２Ｂ】
2019505876.tif 000006
【図２Ｃ】
2019505876.tif 000007
【図２Ｄ】
2019505876.tif 000008
【図２Ｅ】
2019505876.tif 000009
【図２Ｆ】
2019505876.tif 000010
【図２Ｇ】
2019505876.tif 000011
【図２Ｈ】
2019505876.tif 000012
【図３】
2019505876.tif 000013
【国際調査報告】
2019505876.tif 000014
2019505876.tif 000015